(57)【要約】【課題】蛍光ランプなどの簡易な組立ランプの構造。【解決手段】  透明ランプカバー１０、両端の側座３０及び蛍光ランプ全長にわたる支持管２０を相互に掛合して結合する構造として、簡単に組み立てられる簡易型組立ランプであって、外部電源と接続する延長台４０を介して内部に電源を供給し、また、延長台に替えて同様の構造により他の側座と接続する併設台により、他の数組の蛍光ランプと接続することができる。側座、支持管、延長台及び併設台はプラスチックの射出一体成型であり、６１は蛍光ランプである。【選択図】図６
0003150349.tif 000002
【実用新案登録請求の範囲】
【請求項１】
本体は、両側縁に掛合部を具有するランプカバーと、両側縁に掛合辺及び両側底部に掛合孔を具有する支持管と、二つの側座から構成され、
前記側座にランプホルダーを具えた設置台を設け、設置台の一端を延伸して支持管挿入部を設け、挿入部の上方両サイドにランプカバー両側縁の掛合部に対応する掛合辺を設け、底部にフックを設け、後部下方に組立台を形成し、
上記二つの側座の挿入部をそれぞれ前記支持管の両端に挿入して、両者の掛合辺及びフックと掛合孔を掛合して組合せ固定し、更にランプカバーの両側縁にある掛合部を介して支持管の二つの掛合辺と掛合して組み合わせ、
一体射出したプラスティック本体からなると共に二組以上のコネクトプラグを具有する導電板を覆う構造からなる延長台と該併設台は両側に二組以上の導電板を具有すると共にプラスティック本体の射出成型で覆う構造からなる併設台を前記側座の組立台に設置し、
これら該延長台或いは併設台を介して内外に電源を接続したことを特徴とする簡易型組立ランプの構造。
【考案の詳細な説明】
【技術分野】
【０００１】
本考案は、簡易型組立ランプの構造に関し、特にランプカバー、側座及び支持管を挿入掛合形態で簡単に組み合わせることのできる簡易型組立ランプの構造に関する。
【背景技術】
【０００２】
従来のランプはほぼ金属材質であるため、サビ防止とラッカーで塗装した上、溶接とネジで組み立てる必要があるため、加工が不便であるだけでなく、コストが高く経済的ではない。
【０００３】
展示会場や教室など、多くの照明が必要な場合、設置するのが複雑で困難な上、故障原因を排除するのが難しく且つ不便であるなどを鑑みて、更なる改善が必要であった。
【先行技術文献】
【特許文献】
【０００４】
【特許文献１】特許第３６１７２４１号公報
【特許文献２】特開２００６−４９０４２号公報
【考案の概要】
【考案が解決しようとする課題】
【０００５】
本考案の第1の目的は、簡単な組立、低コスト、組立施工するのが便利となる簡易型組立ランプの構造を提供することにある。
本考案の第2の目的は、電源線と電線の配置がしやすく、設置した延長台と併設台により、過度に電線を配置することなく、メンテナンス交換及び故障原因排除をしやすい簡易型組立ランプの構造を提供することにある。
【課題を解決するための手段】
【０００６】
前記課題を解決するため、本考案は簡易型組立ランプの構造を提供するものであり、ランプカバー、側座及び支持管を挿入掛合形態で簡単に組立できる。延長台及び併設台、導電プラグの接続構造及び、側座のランプホルダー設置構造により、数組のランプを接続設置することができる。有効的に電線の過度設置を無くし、メンテナンスや交換、故障原因排除などしやすくなる。
【考案の効果】
【０００７】
本考案は延長台及び併設台及び導電プラグの接続構造および、側座のランプホルダー設置構造を介し、数組のランプを接続することができ、且つ電線の過度設置をすることなく、メンテナンスや交換、故障原因排除などしやすく、製造施工コストを下げることができる。
【図面の簡単な説明】
【０００８】
【図１】本考案のランプカバーと支持管の正面図及び側面図である。
【図２】本考案の側座の構造略図である。
【図３】本考案の延長台の上視図と断面図である。
【図４】本考案の併設台の上視図と断面図である。
【図５】本考案の側座の断面図である。
【図６】本考案の構造組立断面図である。
【図７】図５の導電プラグを組み合わせた略図である。
【図８】本考案を併設した略図である。
【考案を実施するための形態】
【実施例】
【０００９】
本考案による簡易型組立ランプの構造を明確に示すために図に沿って詳細な説明を行う。図1、図2に示すのは、それぞれ本考案のランプカバーと支持管の正面図と側面図及び側座の構造略図である。図で示すように、本考案の外観主体は、両側に掛合部11を具有するランプカバー10と、両側に掛合辺21及び両サイド下方に掛合孔22(図6を参照)を設けた支持管20と二つの側座30(図は一つのみ示す)からなる。
【００１０】
該ランプカバー10の材料は、透明プラスティック材であり、一体射出成型することができ、サビや腐食防止の特性を具有する。該支持管20は、金属或いはプラスティック材で一体成型し、該側座30もプラスティック材を一体射出成型することができ、サビや腐食防止の特性を具有する。
【００１１】
前記側座30は、ランプホルダー60を設置できる設置台31(図5を参照)を設け、設置台31の一端を延長して一体化した挿入部33を設ける。挿入部33の上方両側に掛合辺32を設け、底部にフック34(図5を参照)を設け、後部下方に組立台35(図5を参照)を設置する。    二つの側座30の挿入部33をそれぞれ前述の支持管20の両端に挿入し、両者の掛合辺32、21、フック34と掛合孔22を掛合して組立固定する。更に、ランプカバー10両側にある掛合部11を支持管20の二つの掛合辺21と掛合するため、主体組立は、ネジを使用する必要がない。
【００１２】
図3、図4が示すのは本考案の延長台と併設台の平面図と断面図である。図に示すように、該延長台40と併設台50を前記側座30の組立台35内部に設置し、電源と内部に電線を接続する。該延長台40は一体射出したプラスティック本体41であり、二組以上のコネクタープラグ43の導電板42を覆う構造を具有する。該併設台50は、その両側に二組以上の導電板52を具有し、射出成型したプラスティック本体51に包まれる構造である。
【００１３】
図6に示すのは、本考案の構造組立断面図である。図に示すように、主体の両端にある側座30の設置台31に、それぞれ一つ以上のランプホルダー60を設け、一つ以上の蛍光ランプ61やLEDランプ、其の他のランプを設置することができる。該外観主体の両側にある側座30の下方にある組立台35は、それぞれ一つの延長台40或いは一端は延長台40に一端は併設台50を、或いは両端とも併設台50と組み合わせて設置することができる。該延長台40或いは併設台50は、二つ以上の導電プラグ70(図7を参照)を通じて、内部の電線、外部スイッチ及びランプホルダー60と接続する。本考案を単一のランプと接続するとき側座30両端下方にある組立台35にそれぞれ一つの延長台40を設ける。電線Aの絶縁体のない端を導電板42のコネクトプラグ43に挿入して電源の接続を完成する。更に一組或いはそれ以上のランプを併設する必要のある場合、一組目と最後組のランプの一端の側座30に延長台40を設置し、別端は併設台50を設置する(図8を参照)。つまり、中間に併設するランプの両端にある側座30に全て併設台50を設置すれば、電気を供給できる接続となる。
【００１４】
本考案のランプ組立は簡単であり、電気供給方法は従来技術の設置よりも簡単な上、実用性と利用価値を兼ね備える。本技術に熟知する者が、本考案の範囲内にて行う変更や調整を行っても、本考案の重要な意義は失われず、本考案の範囲に含まれる。
【符号の説明】
【００１５】
10ランプカバー
11掛合部
20支持管
21掛合辺
22掛合孔
30側座
31設置台
32掛合辺
33挿入部
34フック
35組立台
40延長台
41本体
42導電板
43コネクタープラグ
50併設台
51本体
52導電板
60ランプホルダー
61蛍光ランプ
70導電プラグ
80  スイッチ
【図１】
0003150349.tif 000003
【図２】
0003150349.tif 000004
【図３】
0003150349.tif 000005
【図４】
0003150349.tif 000006
【図５】
0003150349.tif 000007
【図６】
0003150349.tif 000008
【図７】
0003150349.tif 000009
【図８】
0003150349.tif 000010